(57)【要約】【課題】発注書作成時における単価設定作業を容易とし、かつ、メンテナンスにかかる作業及びシステムへの負担を負担を軽減するシステムの提供。【解決手段】項目毎に設定した複数のランク別単価と、複数にランク分けした業者とを予め当該システムを構成する記憶装置内に登録し、単価設定時において、当該システムを構成する入力装置による業者選択入力情報を受けて当該システムを構成する主制御部が当該業者の属するランクを自動的に認識し、当該業者ランクに符合する単価ランクに設定された単価を抽出し、当該システムを構成する表示装置上に表示し、前記入力装置による出力指示を受けて当該システムを構成する出力装置へ出力することにより、業者毎に異なる単価を逐一入力する作業を不要としたことで、単価設定業務の効率を高めたことを特徴とする。【選択図】  図２
2004185324.tif 000002
【特許請求の範囲】
【請求項１】
コンピュータを用いた単価設定作業を支援するシステムであって、項目毎に設定した複数のランク別単価と、複数にランク分けした業者とを予め当該システムを構成する記憶装置内に登録し、単価設定時において、当該システムを構成する入力装置による業者選択入力情報を受けて当該システムを構成する主制御部が当該業者の属するランクを自動的に認識し、当該業者ランクに符合する単価ランクに設定された単価を抽出し、当該システムを構成する表示装置上に表示し、前記入力装置による出力指示を受けて当該システムを構成する出力装置へ出力することにより、業者毎に異なる単価を逐一入力する作業を不要としたことで、単価設定業務の効率を高めたランク別単価設定支援システム。
【請求項２】
コンピュータを用いた単価設定作業を支援するシステムであって、
一の項目に対応する複数の単価を、単価のランクを示す個別の識別子αとともに設定する設定手段と、
前記設定された単価及び識別子αを格納する格納手段と、
業者のランクを示す識別子βを業者個々のデータとして設定する設定手段と、
前記設定された識別子βを有する業者個々のデータを格納する格納手段と、
単価設定時における業者を入力する入力手段と、
前記業者入力情報に応じて当該業者固有の識別子βを認識する認識手段と、
前記認識された識別子βと符合する識別子αを認識する認識手段と、
前記認識された識別子αに設定された単価を抽出する抽出手段と、
前記抽出された単価を表示する表示手段と
を有するランク別単価設定支援システム。
【請求項３】
コンピュータを用いた単価設定作業を支援するシステムであって、項目毎に設定した一の基本単価と、当該基本単価に対して設定したランク別割合と、複数にランク分けした業者とを予め当該システムを構成する記憶装置内に登録し、単価設定時において、当該システムを構成する入力装置による業者選択入力情報を受けて当該システムを構成する主制御部が当該業者の属するランクを自動的に認識し、当該業者ランクに符合する割合ランクに設定された割合を抽出し、当該割合を当該割合とともに項目毎に設定された一の基本単価に乗じた金額を算出し、当該算出結果を当該システムを構成する表示装置上に表示し、前記入力装置による出力指示を受けて当該システムを構成する出力装置へ出力することにより、業者毎に異なる単価を逐一入力する作業を不要としたことで、単価設定業務の効率を高めたランク別単価設定支援システム。
【請求項４】
コンピュータを用いた単価設定作業を支援するシステムであって、
一の項目に対応する一の基本単価と、当該基本単価に乗じる割合を示す個別の識別子αとともに設定する設定手段と、
前記設定された割合及び識別子αを格納する格納手段と、
業者のランクを示す識別子βを業者個々のデータとして設定する設定手段と、
前記設定された識別子βを有する業者個々のデータを格納する格納手段と、
単価設定時における業者を入力する入力手段と、
前記業者入力情報に応じて当該業者固有の識別子βを認識する認識手段と、
前記認識された識別子βと符合する識別子αを認識する認識手段と、
前記認識された識別子αに設定された割合を抽出する抽出手段と、
前記抽出された割合を項目毎の基本単価に乗じる算出手段と、
前記算出された単価を表示する表示手段と
を有するランク別単価設定支援システム。
【請求項５】
コンピュータを用いた単価設定作業を支援するシステムであって、項目毎に設定した複数のランク別単価と、複数にランク分けした業者とを予め当該システムを構成する記憶装置内に登録し、単価設定時において、当該システムを構成する入力装置による単価入力情報を受けて当該システムを構成する主制御部が当該単価に定めたランクを自動的に認識し、当該単価ランクに符合するランクに属する業者を候補として抽出し、当該システムを構成する表示装置上に表示し、前記入力装置による出力指示を受けて当該システムを構成する出力装置より出力することにより、単価毎に異なる業者を逐一入力する作業を不要としたことで、単価設定業務の効率を高めたランク別単価設定支援システム。
【請求項６】
コンピュータを用いた単価設定作業を支援するシステムであって、
一の項目に対応する複数の単価を、単価のランクを示す個別の識別子αとともに設定する設定手段と、
前記設定された単価及び識別子αを格納する格納手段と、
業者のランクを示す識別子βを業者個々のデータとして設定する設定手段と、
前記設定された識別子βを有する業者個々のデータを格納する格納手段と、
単価設定時における単価を入力する入力手段と、
前記単価入力情報に応じて当該単価に定めた識別子αを認識する認識手段と、
前記認識された識別子αと符合する識別子βを認識する認識手段と、
前記認識された識別子βに属する業者を抽出する抽出手段と、
前記抽出された業者を表示する表示手段と、
前記表示された業者が一の場合には当該業者を決定する決定手段と、
あるいは前記表示された業者が複数ある場合には当該業者の中から一の業者を選択し、決定する選択決定手段と
を有するランク別単価設定支援システム。
【請求項７】
単価ランクを示す識別子αと業者ランクを示すβは夫々３ランクに区分されていることを特徴とする請求項１乃至請求項５記載のランク別単価設定支援システム。
【請求項８】
単価設定作業を支援するシステムであるコンピュータを、
一の項目に対応する複数の単価を、単価のランクを示す個別の識別子αとともに設定する設定手段と、前記設定された単価及び識別子αを格納する格納手段と、業者のランクを示す識別子βを業者個々のデータとして設定する設定手段と、前記設定された識別子βを有する業者個々のデータを格納する格納手段と、単価設定時における業者を入力する入力手段と、前記業者入力情報に応じて当該業者固有の識別子βを認識する認識手段と、前記認識された識別子βと符合する識別子αを認識する認識手段と、前記認識された識別子αに設定された単価を抽出する抽出手段と、前記抽出された単価を表示する表示手段として機能させるためのランク別単価設定支援プログラム。
【請求項９】
コンピュータを用いた単価設定作業を支援するシステムのプログラムを配信する配信サーバ装置であって、一の項目に対応する複数の単価を、単価のランクを示す個別の識別子αとともに設定する設定手段と、前記設定された単価及び識別子αを格納する格納手段と、業者のランクを示す識別子βを業者個々のデータとして設定する設定手段と、前記設定された識別子βを有する業者個々のデータを格納する格納手段と、単価設定時における業者を入力する入力手段と、前記業者入力情報に応じて当該業者固有の識別子βを認識する認識手段と、前記認識された識別子βと符合する識別子αを認識する認識手段と、前記認識された識別子αに設定された単価を抽出する抽出手段と、前記抽出された単価を表示する表示手段とを備えたことを特徴とするランク別単価設定支援プログラムを配信する配信サーバ装置。
【請求項１０】
コンピュータを用いた単価設定作業を支援する方法であって、
一の項目に対応する複数の単価を、単価のランクを示す個別の識別子αとともに設定し、かつ、業者のランクを示す識別子βを業者個々のデータとして設定した後、夫々設定内容を格納するステップを経て、
単価設定時における業者を入力するステップと、
前記業者入力情報に応じて当該業者固有の識別子βを認識するステップと、
前記認識された識別子βと符合する識別子αを認識するステップと、
前記認識された識別子αに設定された単価を抽出するステップと、
前記抽出された単価を表示するステップと
からなるランク別単価設定支援方法。
【発明の詳細な説明】
【０００１】
【発明の属する技術分野】
本発明は、住宅建築において必要となる工事、特に外構工事、造園工事に係る発注書作成時に発注単価設定作業等を支援するコンピュータシステムであって、各工事に係る複数の発注単価をランクとともに予め設定し、かつ、業者についても予めランクとともに設定しておくことで、オペレータの業者名入力情報に基づき発注単価を、また、発注単価入力情報に基づき業者名を、それぞれランク情報を介して表示、或いは算出表示するシステムに関するものである。
【０００２】
【従来の技術】
住宅建築における外構工事等は、仮設工事を始め、門廻り工事、外周工事など様々な工事に分類され、発注時にはさらに分類毎の作業内容や使用材料といった細かな項目ごとに発注単価が存在することから、発注書の作成は極めて複雑な作業となっているのが現状である。
また、通常、発注元は複数の業者と取引関係にあり、同種の工事・項目でもその規模や納期、作業内容等によって業者を使い分けており、必要に応じて工事毎あるいは項目毎に逐一単価の設定を行い、発注書を作成してきた。
例えば、従来のコンピュータシステムを利用した見積を行うシステムにおいては、予めコンピュータの記憶部に、工事内容等の項目名の一覧及び項目毎に設定した見積単価を記憶させ、システムが項目名の入力情報を受けて当該項目に設定された見積単価を前記記憶部から読み出し、画面上に表示するようにしている。（例えば、文献１参照。）。
【０００３】
【特許文献１】
特開平１１−２８８４３７号公報（段落番号「０００４」「０００５」「０００６」）
【０００４】
【発明が解決しょうとする課題】
しかしながら、このような従来型の単価設定作業によれば、発注単価と業者とを一定の規律の下に管理していないことから、例えば、業者の変更が生じた場合には当該業者が関わる項目全てにつき、変更後の業者に適した単価を再び個々に定めなければならない。さらに、変更は一回とは限らないことから、変更が生じる度に同様の作業を繰り返さなければならず、当該作業には非常な労力を要し、担当者へ過度の負担をかけてきた。
また、従来、単に効率化を図ったシステムとして業者毎に単価を設定し、業者選択情報を受け、設定単価を自動表示する技術が見受けられるものの、かかる技術には複数の業者を一定の規律の下に管理する工夫が見られず、また、設定されるべき単価との関連性もないことから、より一層の改善が待ち望まれてきた。
【０００５】
【課題を解決するための手段】
上記の課題を解決するために、請求項１記載のランク別単価設定支援システムは、項目毎に設定した複数のランク別単価と、複数にランク分けした業者とを予め当該システムを構成する記憶装置内に登録し、単価設定時において、当該システムを構成する入力装置による業者選択入力情報を受けて当該システムを構成する主制御部が当該業者の属するランクを自動的に認識し、当該業者ランクに符合する単価ランクに設定された単価を抽出し、当該システムを構成する表示装置上に表示し、前記入力装置による出力指示を受けて当該システムを構成する出力装置へ出力することにより、業者毎に異なる単価を逐一入力する作業を不要としたことで、単価設定業務の効率を高めたことを要旨とする。
【０００６】
また、請求項２記載のランク別単価設定支援システムは、一の項目に対応する複数の単価を、単価のランクを示す個別の識別子αとともに設定する設定手段と、前記設定された単価及び識別子αを格納する格納手段と、業者のランクを示す識別子βを業者個々のデータとして設定する設定手段と、前記設定された識別子βを有する業者個々のデータを格納する格納手段と、単価設定時における業者を入力する入力手段と、前記業者入力情報に応じて当該業者固有の識別子βを認識する認識手段と、前記認識された識別子βと符合する識別子αを認識する認識手段と、前記認識された識別子αに設定された単価を抽出する抽出手段と、前記抽出された単価を表示する表示手段とを有することを要旨とする。
【０００７】
また、請求項３記載のランク別単価設定支援システムは、項目毎に設定した一の基本単価と、当該基本単価に対して設定したランク別割合と、複数にランク分けした業者とを予め当該システムを構成する記憶装置内に登録し、単価設定時において、当該システムを構成する入力装置による業者選択入力情報を受けて当該システムを構成する主制御部が当該業者の属するランクを自動的に認識し、当該業者ランクに符合する割合ランクに設定された割合を抽出し、当該割合を当該割合とともに項目毎に設定された一の基本単価に乗じた金額を算出し、当該算出結果を当該システムを構成する表示装置上に表示し、前記入力装置による出力指示を受けて当該システムを構成する出力装置へ出力することにより、業者毎に異なる単価を逐一入力する作業を不要としたことで、単価設定業務の効率を高めたことを要旨とする。
【０００８】
また、請求項４記載のランク別単価設定支援システムは、一の項目に対応する一の基本単価と、当該基本単価に乗じる割合を示す個別の識別子αとともに設定する設定手段と、前記設定された割合及び識別子αを格納する格納手段と、業者のランクを示す識別子βを業者個々のデータとして設定する設定手段と、前記設定された識別子βを有する業者個々のデータを格納する格納手段と、単価設定時における業者を入力する入力手段と、前記業者入力情報に応じて当該業者固有の識別子βを認識する認識手段と、前記認識された識別子βと符合する識別子αを認識する認識手段と、前記認識された識別子αに設定された割合を抽出する抽出手段と、前記抽出された割合を項目毎の基本単価に乗じる算出手段と、前記算出された単価を表示する表示手段とを有することを要旨とする。
【０００９】
また、請求項５記載のランク別単価設定支援システムは、項目毎に設定した複数のランク別単価と、複数にランク分けした業者とを予め当該システムを構成する記憶装置内に登録し、単価設定時において、当該システムを構成する入力装置による単価入力情報を受けて当該システムを構成する主制御部が当該単価に定めたランクを自動的に認識し、当該単価ランクに符合するランクに属する業者を候補として抽出し、当該システムを構成する表示装置上に表示し、前記入力装置による出力指示を受けて当該システムを構成する出力装置より出力することにより、単価毎に異なる業者を逐一入力する作業を不要としたことで、単価設定業務の効率を高めたことを要旨とする。
【００１０】
また、請求項６記載のランク別単価設定支援システムは、一の項目に対応する複数の単価を、単価のランクを示す個別の識別子αとともに設定する設定手段と、前記設定された単価及び識別子αを格納する格納手段と、業者のランクを示す識別子βを業者個々のデータとして設定する設定手段と、前記設定された識別子βを有する業者個々のデータを格納する格納手段と、単価設定時における単価を入力する入力手段と、前記単価入力情報に応じて当該単価に定めた識別子αを認識する認識手段と、前記認識された識別子αと符合する識別子βを認識する認識手段と、前記認識された識別子βに属する業者を抽出する抽出手段と、前記抽出された業者を表示する表示手段と、前記表示された業者が一の場合には当該業者を決定する決定手段と、あるいは前記表示された業者が複数ある場合には当該業者の中から一の業者を選択し、決定する選択決定手段とを有することを要旨とする。
【００１１】
また、請求項７記載のランク別単価設定支援システムは、請求項１乃至請求項５記載の構成において、単価ランクを示す識別子αと業者ランクを示すβが夫々３ランクに区分されていることを要旨とする。
【００１２】
また、請求項８記載のランク別単価設定支援プログラムは、単価設定作業を支援するシステムであるコンピュータを、一の項目に対応する複数の単価を、単価のランクを示す個別の識別子αとともに設定する設定手段と、前記設定された単価及び識別子αを格納する格納手段と、業者のランクを示す識別子βを業者個々のデータとして設定する設定手段と、前記設定された識別子βを有する業者個々のデータを格納する格納手段と、単価設定時における業者を入力する入力手段と、前記業者入力情報に応じて当該業者固有の識別子βを認識する認識手段と、前記認識された識別子βと符合する識別子αを認識する認識手段と、前記認識された識別子αに設定された単価を抽出する抽出手段と、前記抽出された単価を表示する表示手段として機能させることを要旨とする。
【００１３】
また、請求項９記載の配信サーバ装置は、一の項目に対応する複数の単価を、単価のランクを示す個別の識別子αとともに設定する設定手段と、前記設定された単価及び識別子αを格納する格納手段と、業者のランクを示す識別子βを業者個々のデータとして設定する設定手段と、前記設定された識別子βを有する業者個々のデータを格納する格納手段と、単価設定時における業者を入力する入力手段と、前記業者入力情報に応じて当該業者固有の識別子βを認識する認識手段と、前記認識された識別子βと符合する識別子αを認識する認識手段と、前記認識された識別子αに設定された単価を抽出する抽出手段と、前記抽出された単価を表示する表示手段とを備えたことを特徴とするランク別単価設定支援プログラムを配信することを要旨とする。
【００１４】
また、請求項１０記載のランク別単価設定支援方法は、一の項目に対応する複数の単価を、単価のランクを示す個別の識別子αとともに設定し、かつ、業者のランクを示す識別子βを業者個々のデータとして設定した後、夫々設定内容を格納するステップを経て、単価設定時における業者を入力するステップと、前記業者入力情報に応じて当該業者固有の識別子βを認識するステップと、前記認識された識別子βと符合する識別子αを認識するステップと、前記認識された識別子αに設定された単価を抽出するステップと、前記抽出された単価を表示するステップとからなることを要旨とする。
【００１５】
【発明の実施の形態】
本システムは、オペレータがコンピュータを利用して、発注書の作成業務を迅速、かつ、正確に行うために開発されたものであるが、発注書や仕入伝票等に限らず、見積書など、他の帳票等へ応用することとしても良い。したがって単価は発注単価や仕入単価であることのほか、見積書を作成する場合には見積単価となるなど、作成する帳票に応じたものとすれば良く、さらに業者は発注業者や仕入業者であることのほかに、作成する帳票等の種類に応じたものとすれば良い。
【００１６】
請求項１から請求項７までのいずれかに記載された発明に係るシステムは、システム全体を統括的に制御する、プログラムされた主制御部（１）に記憶装置（２）が接続され、主制御部には、また、キーボードやマウス等のポインティングデバイスからなる入力装置（３）、入力データのモニタに用いる表示装置（４）、及び、処理結果を出力する出力装置（５）が接続されている（図１）。
【００１７】
具体的には、主制御部（１）はＯＳ（Ｏｐｅｒａｔｉｎｇ  ｓｙｓｔｅｍ）等の制御プログラムと、請求項８記載の発明に係るプログラムを構成する処理手段である格納手段、入力手段、認識手段、抽出手段、算出手段、蓄積手段、特定手段、検出手段、表示手段、及びこれらの手段の処理手順を規定したプログラム、及びシステムを稼動させるために必要となる諸手段が格納されている。
また、主制御部（１）に接続される記憶装置（２）には工事の項目、当該項目毎に設定された３種類の単価、各単価のランクを示す識別子α、業者、業者ランクを示す識別子βが任意に呼出可能なデータとして格納されており、また、一旦作成した発注書は当該発注書を構成するデータと共に案件ごとに固有のファイルが作成され、所定の保存処理を経て、格納される。さらに、その他発注書に関する必要事項が入力された場合には、所定の保存処理を経て、記憶装置（２）内に蓄積される。
【００１８】
また、上記格納されたデータは、所定の検索呼出処理を行うことで、抽出され、表示装置（４）の画面上に表示され、さらに出力装置（５）により、当該表示内容及び指定した項目を出力する。
なお、入力された発注先情報からの発注先ランクの認識、そして当該発注先ランクに符合する単価ランク及び当該単価ランクに属する単価、当該単価ランクに設定された割合の認識は、前述のプログラム、及び処理手順を規定したプログラム等により実行され、表示、若しくは算出表示される。一方、入力された単価情報からの当該単価の属するランクの認識、そして当該単価ランクに符合する発注先ランク及び当該発注先ランクに属する発注先の認識も同様である。
その他、一旦抽出した各種データの一時保存のための内部メモリや、コンピュータシステムを稼動させ、前記プログラムを実行させる上での必要なハードウエア、ソフトウエアの構成要件は当然有するものとする。
【００１９】
請求項９記載の発明に係る配信サーバ装置は、有線、無線を問わずインターネットを介して、また、インターネットと社内ＬＡＮなどのネットワークを組み合わせたイントラネット等を構築したりして、端末等を操作して利用する形態において使用されるもので、前述制御プログラム、処理手順を規定した請求項８記載の処理手順を規定したプログラム、そして格納された工事の項目、当該項目毎に設定された３種類の単価、各単価のランクを示す識別子α、発注先、発注先ランクを示す識別子βを格納し、配信先の配信要求に呼応して当該データ等の配信、受信を可能とし、配信先からのデータに基づき必要な算出を行うものである。
【００２０】
また、本システムは上記の構成に限られるものでなく、他の既知の構成によってもよく、本システムに係るプログラムや諸データ等をコンピュータで読み取り可能なＣＤ−ＲＯＭ等の携帯可能な記憶媒体等に記録し、他のコンピュータシステムのハードディスクにインストールして利用する形態も考えられる。
【００２１】
図２に示すように、識別子αとは、項目毎に設定した複数の単価につき、個々の単価に設定されたランクの総称であり、発注書作成の前段階において予め登録しておくものである。また、識別子βとは、業者毎に設定した個々の業者が属するランクの総称であり、発注書作成の前段階において予め登録しておくものである。
そして識別子αと識別子βは、オペレータの操作の下、主制御部（１）による符合指令に基づき、両識別子の一致、不一致が認識される。当該符合の結果、識別子αに設定された単価、若しくは単価に設定された割合、或いは識別子βに属する業者が適宜抽出され、表示、若しくは算出表示される。なお、識別子αと識別子βのランク設定は３ランクに限らず、必要に応じて増減することとして良い。
また、在庫材料を使用する場合には、在庫固有の識別子αを購入時単価とともに別途設定しておき、符合する識別子βには「在庫分」あるいは「支給材」といったような在庫使用の旨の表示がなされるように設定しておけば、発注書作成時に在庫処理も行えることとなる。
【００２２】
請求項１０記載の発明に係るランク別単価設定支援方法は、先ず、発注工事及び項目毎に複数の単価、そして夫々の識別子を設定する（Ｓ１０１）。また、一方で業者を識別子とともに設定する（Ｓ１０２）。尚、両設定作業は準不同である。契約が成立し発注段階に至った場合には、発注項目の詳細な明細を記した発注書を作成する（Ｓ１０３）が、この時、単価設定作業において業者を先に選択入力する場合（図３（ａ））は、本システムが、発注業者の入力（Ｓ１０４）情報を受け、当該業者の属するランクを示す識別子βを認識し（Ｓ１０５）、当該ランクに符合する単価ランクを示す識別子αを認識（Ｓ１０６）する。そして当該識別子αに設定された単価を認識し、表示（Ｓ１０７）した後、発注単価を確定する（Ｓ１０８）。
【００２３】
また、単価設定作業において単価を先に入力する場合（図３（ｂ））は、Ｓ１０１からＳ１０３の処理の後、本システムが、当該単価入力情報（Ｓ１０４−１）を受け、当該単価に設定されたランクを示す識別子αを認識し（Ｓ１０５−１）し、当該ランクに符合する業者ランクを示す識別子βを認識し（Ｓ１０６−１）する。そして当該識別子に属する業者を認識し、表示（Ｓ１０７−１）した後、発注業者を確定する（Ｓ１０８−１）。
【００２４】
［実施例１］
本発明の第一の実施例を図１〜図３（ａ）、図４（ａ）に基づいて説明する。
本実施例は、オペレータが発注書の作成時において単価設定作業を支援する技術に関するものであり、業者入力を受けてシステムが当該業者に属するランクを認識し、当該業者ランクに符合する単価ランクに設定された単価を抽出し、本システムを構成する表示装置上に表示する技術に関するものである。
【００２５】
図１は本発明のシステムを示すハードウエア構成図、図２は記憶装置（２）内の構成の概要を示す図、図３（ａ）は本発明において業者入力を先に行うフロー図、図４（ａ）は実施例１に係る発注書作成画面を示す図である。
【００２６】
図中、（１）は主制御部、（２）は記憶装置、（３）は入力装置、（４）は表示装置、（５）は出力装置、（６）は業者一覧表示ボタン、（７）は業者一括指定ボタンを示す。
【００２７】
まず、オペレータは発注書の作成に先だって、予め工事毎・項目毎の複数の発注単価の設定と、各単価ランクを示す個別の識別子αの設定を行う。本実施例においては「ブロック基礎−Ｓ１タイプ  Ｗ＝３５０」につき、ランクＡとして５，５００円／１ｍ２、ランクＢとして５，３００円／１ｍ２、ランクＣとして５，１００円／１ｍ２を設定し、また、「門扉  両扉  ○○社  Ｍｏｄｅｌ−１」がＡ〜Ｃの発注単価以外に、在庫を示すランクＤとして登録したものとする（Ｓ１０１）。
【００２８】
一方、業者と当該業者の属する識別子βを登録しておく。本実施例においてはランクＡに業者「甲」、ランクＢに業者「乙」、ランクＣに「丙」を登録し、在庫処理のため、ランクＤに「支給材」を設定しているものとする（Ｓ１０２）。
上記設定された諸データはそれぞれ記憶装置（２）内に格納されており、オペレータによる入力装置（３）からの指示を受け、主制御部（１）の実行指示により適宜抽出され、識別子α及びβの認識、符合、そして単価、業者の認識、表示など必要な処理が行われる。
【００２９】
必要な単価及び業者等データの登録後、発注明細書を作成するにあたり（Ｓ１０３）、まず、オペレータは発注項目の名称や摘要を入力するが、顧客への見積時に提示した既入力データからの呼出により画面上に表示させることとしてもよい。
次に業者一覧表示ボタン（６）により、各項目毎に業者を選択する。
【００３０】
発注項目「ブロック基礎−Ｓ１タイプ  Ｗ＝３５０」につき、業者を「甲」と選択した場合、システムが「甲」の属する識別子βが「Ａ」ランクであることを認識する（Ｓ１０５）。そこで、当該項目に設定された単価ランクを示す識別子αの中で、先の「甲」の属する識別子βと符合する「Ａ」ランクを認識し（Ｓ１０６）、当該ランクＡに設定された単価「５，５００円」を抽出し、表示手段により単価の欄に表示する（Ｓ１０７）。そして表示単価でよければ確定し（Ｓ１０８）、当該項目における単価設定作業を終えることとなり、その後、必要数量を入力することで小計は自動算出される。かかる作業を全項目につき繰り返す。
【００３１】
また、「門扉  両開−○○社  Ｍｏｄｅｌ−１」につき業者選択時に「支給材」を選択した場合も同様で、「支給材」の属する識別子βが「Ｄ」ランクであることをシステムが認識し、当該ランクに符合する単価ランク「Ｄ」を識別子αの中から認識し、「Ｄ」に設定された単価「４２，５００円」を抽出し、表示する。
【００３２】
なお、業者一括指定ボタン（７）により、当該「門廻り工事」について一括して業者を指定した場合には、当該業者の属するランクを認識し、全ての項目について当該ランクに符合する単価ランクを認識し、当該単価ランクに設定された単価を抽出し、表示する。
【００３３】
以上の通り本実施例によれば、発注項目毎の単価設定作業及び業者選択作業が効率的に行えるだけでなく、単価及び業者の両データの夫々をランク別の識別子によって規律することで、両データの効率的な管理が行える。
例えば、識別子を介さずに業者に直接単価データを持たせると、当該業者が扱う工事、項目毎に単価データを持たせなければならず、システムにかける負担が極めて大きくなる。
また、市場動向等を迅速に反映させるために、データの更新といったメンテナンス作業が不可欠となるが、本願のように識別子を介して単価データと業者データ等を相互に関連付けることで、個々の更新データを他に特別な処理を伴わずに迅速に単価設定作業に反映させることができる。
【００３４】
［実施例２］
本発明の第二の実施例を説明する。本実施例は、一の単価に対して３種類の掛率を識別子αとともに設定しておき、業者入力に基づき当該掛率を利用して発注単価を設定する技術に関するものである。
【００３５】
発注項目「ブロック基礎−Ｓ１タイプ  Ｗ＝３５０」につき、基本単価として５，５００円を設定すると同時に、識別子αとしてランクＡに０．７１００、ランクＢに０．７０６９、ランクＣに０．７０５０をそれぞれ掛率として設定登録しておく。また、登録業者については実施例１と同様とする。
【００３６】
発注書を作成するにあたり、オペレータが、発注項目として「ブロック基礎−Ｓ１タイプ  Ｗ＝３５０」を名称欄及び摘要欄に入力した後、発注業者に「乙」を選択入力したとすると、本システムは「乙」が属する業者ランク「Ｂ」を認識する。そして、当該ランクに符合する単価ランクＢを認識することにより、割合「０．７０６９」を抽出する。そこで、基本単価に当該割合を乗じた結果である＠３，８８７円を発注単価として画面上に表示する。
【００３７】
本実施例によっても、先の実施例１と同様、効率的な発注単価設定作業が行えるほか、単価及び業者の効率的なデータ管理が行える。さらに、システムにかける負担を最小限に抑え、データ更新も迅速、かつ、容易に行えることから、発注書作成業務の効率化に多大な貢献をもたらすものである。
【００３８】
［実施例３］
本発明の第三の実施例を図１〜図３（ｂ）、図４（ｂ）に基づいて説明する。
本実施例は、オペレータが発注書の作成時において単価設定に係る作業を支援する技術に関するものであり、単価入力情報を受けてシステムが当該単価に設定されたランクを認識し、当該単価ランクに符合する業者ランクに属する業者を認識し、本システムを構成する表示装置上に表示する技術に関するものである。
なお、図３（ｂ）は本発明において単価入力を先に行うフロー図、図４（ｂ）は実施例２に係る発注書作成画面を示す図であり、また、（８）は単価表示ボタンである。
【００３９】
図３（ｂ）において、発注項目明細を作成する（Ｓ１０３）までは先の実施例１と同様である。次に、発注項目「ブロック基礎工事」の単価を単価表示ボタン（８）により画面上に表示させる。なお、この際、デフォルト値として一の単価を表示させておくこととしても良い。
オペレータが当該単価表示から所望の単価「５，５００円」を選択入力すると（Ｓ１０４−１）、本システムが当該単価に設定された識別子αの中からランク「Ａ」を認識する（Ｓ１０５−１）。次に業者ランクを示す識別子βの中から当該単価ランク「Ａ」に符合する業者ランクを認識し（Ｓ１０６−１）、当該業者ランクに属する業者を認識し、表示する（Ｓ１０７−１）。ここで、業者ランクに属する業者が複数存在する場合にはそれら全てを業者欄へ表示すべくデータを転送し、業者一覧表示ボタン（６）により表示させる。なお、前回に発注した業者を優先的に表示させるなどの候補特定作用の付加は自由である。そして、一の単価を確定した後、必要数量を入力すれば、項目毎の小計は自動的に算出される。以上の作業を各項目において操作する。
【００４０】
本実施例においても、先の実施例１及び２と同様の効果が得られるばかりでなく、単価情報により業者情報を抽出するといった、実施例１と逆の操作によっても利用可能とすることで本システムの利用の幅を広げることから好ましい。
【発明の効果】
このように本発明によれば、発注書作成時の単価設定作業を効率的に行えることのみならず、システム自体に過大な負担をかけずにデータの効率的な管理も行える。また、データの更新というシステム管理上不可欠な作業が容易となり、その結果、変化の激しい市場動向に迅速に対応することができることとなる。
【図面の簡単な説明】
【図１】本発明のシステムを示すハードウエア構成図
【図２】記憶装置（２）内の構成の概要を示す図
【図３】（ａ）  本発明において業者入力を先に行うフロー図
（ｂ）  本発明において単価入力を先に行うフロー図
【図４】（ａ）  実施例１に係る発注書作成画面を示す図
（ｂ）  実施例２に係る発注書作成画面を示す図
【符号の説明】
１    主制御部
２    記憶装置
３    入力装置
４    表示装置
５    出力装置
６    業者一覧表示ボタン
７    業者一括指定ボタン
８    単価表示ボタン
【図１】
2004185324.tif 000003
【図２】
2004185324.tif 000004
【図３】
2004185324.tif 000005
【図４】
2004185324.tif 000006